(57)【要約】【課題】一方のレーザ光源が記録再生の両方に使用され、他方のレーザ光源が再生のみに使用される場合において、レーザ光源の発光強度を調整することが容易な光ピックアップ及び光ディスク装置を提供することを目的とする。【解決手段】第１の光源が記録と再生の両方を行うものであり、第２の光源が再生のみを行うものであるときに、光源１から発せられるレーザ光の発光強度を制御する受光センサ１０２で変換される、第２の光源の受光レベルに基づく出力レベルを、第１の光源の受光レベルに基づく出力レベルの範囲内に設定する出力レベル調整手段を有している。【選択図】図１
2005293658.tif 000002
【特許請求の範囲】
【請求項１】
波長の異なるレーザ光を発する複数の光源を用いて、光ディスクに対してレーザ光を照射して情報の記録再生を行う光ピックアップにおいて、第１の光源が記録と再生の両方を行うものであり、第２の光源が再生のみを行うものであるときに、レーザ光の発光強度を制御する受光センサで変換される、第２の光源の受光レベルに基づく出力レベルを、第１の光源の受光レベルに基づく出力レベルの範囲内に設定する出力レベル調整手段を有することを特徴とする光ピックアップ。
【請求項２】
前記出力レベル調整手段は、レーザ光が透過する際の光透過特性が波長依存性を有する光学膜であることを特徴とする請求項１記載の光ピックアップ。
【請求項３】
前記出力レベル調整手段は、受光センサで受光されるレーザ光強度に応じた電流値に変換する光電変換手段であることを特徴とする請求項１記載の光ピックアップ。
【請求項４】
前記第１の光源がＣＤ用光源であり、前記第２の光源がＤＶＤ用光源であることを特徴とする請求項１記載の光ピックアップ。
【請求項５】
請求項１から請求項４のいずれかに記載の光ピックアップを用いたことを特徴とする光ディスク装置。
【発明の詳細な説明】
【技術分野】
【０００１】
本発明は、パーソナルコンピュータ，ノートブック型コンピュータ，モバイル端末機器などの電子機器に搭載される光ディスク装置及びその光ディスク装置に好適に用いられる光ピックアップに関するものである。
【背景技術】
【０００２】
光学記録媒体として、ＤＶＤ（Ｄｉｇｉｔａｌ  Ｖｅｒｓａｔｉｌｅ  Ｄｉｓｃ）、ＣＤ−Ｒ（書き込み可能なコンパクトディスク）、ＣＤ−ＲＷ（書き換え可能なコンパクトディスク）等の種々の光ディスクが開発されている。ＤＶＤにおいては、波長約６５０ｎｍのレーザ光により情報の記録または再生が行われる。一方、ＣＤ−ＲやＣＤ−ＲＷにおいては、波長約７８０ｎｍのレーザ光により情報の記録または再生が行われる。このような複数種類の光ディスクに対して情報の記録または再生を行う光ディスク装置が提案されている。
【０００３】
また、このような複数種類の光ディスクに対して情報の記録または再生を行う光ディスク装置において、光ディスク装置に搭載される光ピックアップの光源としては、複数の異なる波長の光束を出射するレーザ素子を１つのパッケージに隣接して配置したもの（いわゆるハイブリッド型２波長半導体レーザ）が（特許文献１）に記載されており、また、１つの半導体基板に複数の波長の光源を集積化したもの（いわゆるモノリシック型２波長半導体レーザ）などが用いられている。
【０００４】
上述のハイブリッド型２波長半導体レーザを光源として用いた光ピックアップの光学系の一例を図１に示す。
【０００５】
図１において、光源１から出射された光は光学部材４，５を通過してコリメータレンズ１００に入射し、ビームスプリッタプレート１０１（ＢＳプレート）で反射され、立ち上げプリズム１０３に導かれる。この時、ＢＳプレート１０１では、出射された光の一部が透過し、光源１の光量をモニターする受光センサ１０２に導かれ、受光センサ１０２の出力によって光源１の発光パワーが調整される。
【０００６】
ビームスプリッタプレート１０１からの光は、立ち上げプリズム１０３の面１０３ａで反射し、面１０３ｂで更に反射して、面１０３ａを透過して液晶を挟み込んだホログラム１０４に入射し対物レンズ１０５に導かれ、光ディスク１０６に集光される。光ディスク１０６で反射した光は対物レンズ１０５，ホログラムを経由して立ち上げプリズム１０３に導かれ、面１０３ａを通過し、面１０３ｂで反射し更にその後面１０３ａで反射しビームスプリッタプレート１０１に導かれ、ビームスプリッタプレート１０１で反射しコリメータレンズ１００を通過し光学部材５に入射され、受光素子２に到達する。
【特許文献１】特開平１０−２４１１８９号公報
【発明の開示】
【発明が解決しようとする課題】
【０００７】
上述した光ピックアップにおいては、受光センサ１０２によって、波長の異なる２種類のレーザ光である、ＣＤ用のレーザ光とＤＶＤ用レーザ光のそれぞれについて独立して発光強度の調整が行われている。しかし、上記の２種類のレーザ光は、発光強度の波長依存性が互いに異なっており、それぞれを独立に調整するとなると、調整手段が複雑になってしまう。
【０００８】
本発明は、上記の課題を解決するためになされたもので、一方のレーザ光源が記録と再生の両方に使用され、他方のレーザ光源が再生のみに使用される場合において、レーザ光源の発光強度を調整することが容易な光ピックアップ及び光ディスク装置を提供することを目的とする。
【課題を解決するための手段】
【０００９】
本発明は、上記の課題を解決するためになされたもので、波長の異なるレーザ光を発する複数の光源を用いて、光ディスクに対してレーザ光を照射して情報の記録再生を行う光ピックアップにおいて、第１の光源が記録と再生の両方を行うものであり、第２の光源が再生のみを行うものであるときに、レーザ光の発光強度を制御する受光センサで変換される、第２の光源の受光レベルに基づく出力レベルを、第１の光源の受光レベルの範囲内に設定する出力レベル調整手段を有することを特徴とする光ピックアップである。
【００１０】
記録時と再生時では必要な光強度が異なっており、第１の光源は記録と再生の両方を行うものであるため、発光強度は所定の幅をもつことが必要であるが、第２の光源は再生のみを行うものであるため、その発光強度は一定値に限定することが可能である。そのため、受光センサで変換される第２の光源の受光レベルに基づく出力レベルを、第１の光源の受光レベルに基づく出力レベルの範囲内に設定する出力レベル調整手段を有することにより、２種類の光源用の回路における調整を別個独立に行うことなく、第１の光源用の回路における調整のみを行うことによって、第２の光源の発光強度の調整も行うことができる。
【発明の効果】
【００１１】
本発明によると、受光センサで変換される、第２の光源の受光レベルに基づく出力レベルを、第１の光源の受光レベルに基づく出力レベルの範囲内に設定する出力レベル調整手段を有することにより、２種類の光源用の回路における調整を別個独立に行うことなく、第１の光源用の回路における調整のみを行うことによって、第２の光源の発光強度の調整も行うことができる。
【発明を実施するための最良の形態】
【００１２】
本願の第１の発明は、波長の異なるレーザ光を発する複数の光源を用いて、光ディスクに対してレーザ光を照射して情報の記録再生を行う光ピックアップにおいて、第１の光源が記録と再生の両方を行うものであり、第２の光源が再生のみを行うものであるときに、レーザ光の発光強度を制御する受光センサで変換される、第２の光源の受光レベルに基づく出力レベルを、第１の光源の受光レベルに基づく出力レベルの範囲内に設定する出力レベル調整手段を有することを特徴とする光ピックアップである。
【００１３】
記録時と再生時では必要な光強度が異なっており、第１の光源は記録と再生の両方を行うものであるため、発光強度は所定の幅をもつことが必要であるが、第２の光源は再生のみを行うものであるため、その発光強度は一定値に限定することが可能である。そのため、受光センサで変換される第２の光源の受光レベルに基づく出力レベルを、第１の光源の受光レベルに基づく出力レベルの範囲内に設定する出力レベル調整手段を有することにより、２種類の光源用の回路における調整を別個独立に行うことなく、第１の光源用の回路における調整のみを行うことによって、第２の光源の発光強度の調整も行うことができる。
【００１４】
本願の第２の発明は、第１の発明において、前記出力レベル調整手段は、レーザ光が透過する際の光透過特性が波長依存性を有する光学膜であることを特徴とする。このような光透過特性を持つ光学膜を透過させたレーザ光を受光センサで受光することにより、受光センサで変換される第２の光源の出力レベルを、第１の光源の出力レベルの範囲内に設定
することができる。
【００１５】
本願の第３の発明は、第１の発明において、前記出力レベル調整手段は、受光センサで受光されるレーザ光強度に応じた電流値に変換する光電変換手段であることを特徴とする。光電変換手段の変換効率を考慮することにより、受光センサで受光された第２の光源の受光強度に応じた電流値を、第１の光源の受光強度に応じた電流値の範囲内とすることができる。
【００１６】
本願の第４の発明は、第１の発明において、前記第１の光源がＣＤ用光源であり、前記第２の光源がＤＶＤ用光源であることを特徴とする。これにより、２種類の光源用の回路を別個独立に調整することなく、ＣＤ用光源用の回路の調整によって、ＤＶＤ用光源の発光強度を自動的に制御することができる。
【００１７】
本願の第５の発明は、第１から第４の発明の光ピックアップを用いた光ディスク装置である。この光ピックアップを用いることにより、発光波長の異なる２種類の光源を有する光ディスク装置において、発光強度の調節を容易に行うことができる光ディスク装置を実現することができる。
【００１８】
図１は、本発明の実施の形態に係る光ピックアップの光学系構成を示す図である。また、図２（ａ）は、本発明の実施の形態に係る光ピックアップの構成部品を示し、図２（ｂ）は、これらを組み込んでキャリッジを形成したものを示す。
【００１９】
光源１には、波長約７８０ｎｍのレーザ光を発するＣＤ用の半導体レーザと、波長約６５０ｎｍのレーザ光を発するＤＶＤ用の半導体レーザとが収納されている。図１においては、ＣＤ用レーザ光の光路を破線で示し、ＤＶＤ用レーザ光の光路を実線で示す。図１に示す光学部材４、５は、図２に示す結合ベース３内に固定されている。
【００２０】
光源１から出射された光は光学部材４，５を通過してコリメータレンズ１００に入射し、ビームスプリッタプレート１０１（ＢＳプレート）で反射され、立ち上げプリズム１０３に導かれる。この時、ＢＳプレート１０１では、出射された光の一部が透過し、光源１の光量をモニターする受光センサ１０２に導かれ、受光センサ１０２の出力によって光源１の発光パワーが調整される。
【００２１】
ビームスプリッタプレート１０１からの光は、立ち上げプリズム１０３の面１０３ａで反射し、面１０３ｂで更に反射して、面１０３ａを透過して液晶を挟み込んだホログラム１０４に入射し対物レンズ１０５に導かれ、光ディスク１０６に集光される。光ディスク１０６で反射した光は対物レンズ１０５，ホログラムを経由して立ち上げプリズム１０３に導かれ、面１０３ａを通過し、面１０３ｂで反射し更にその後面１０３ａで反射しビームスプリッタプレート１０１に導かれ、ビームスプリッタプレート１０１で反射しコリメータレンズ１００を通過し光学部材５に入射され、受光素子２に到達する。
【００２２】
ビームスプリッタプレート１０１には、図３に示す波長依存性を有する透過特性を持つ光学膜が形成されており、この光学膜をＣＤ用レーザ光とＤＶＤ用レーザ光が透過することにより、受光センサ１０２により受光されるレーザ光の強度が調整される。
【００２３】
本発明の実施の形態に係る光ピックアップでは、ＣＤ用レーザ光は情報の再生と記録の両方に用いられ、ＤＶＤ用レーザ光は情報の再生にのみ用いられる場合を前提としている。情報の記録時と再生時では、必要となるレーザ光の強度は異なるため、情報の再生と記録の両方を行うためには、ＣＤ用レーザ光の強度は所定の幅を有していることが必要である。これに対して、再生のみに用いられるＤＶＤ用レーザ光の強度は一定値に限定するこ
とが可能である。本発明の実施の形態においては、上述した特性を有する光学膜を用いて、受光センサ１０２により変換されて得られる、ＤＶＤ用レーザ光の受光レベルに応じた出力レベルを調節して、ＤＶＤ用レーザ光の強度が、ＣＤ用レーザ光の強度の所定の幅の範囲内となるようにしている。
【００２４】
図４は、受光センサ１０２の受光感度の波長依存性の一例を示す図である。この例では、ＤＶＤ用レーザ光の波長である６６０ｎｍ付近において受光感度が最大となるように設定されている。このように、受光センサ１０２の受光感度の波長依存性に基づいて、受光センサ１０２の光電変換手段がＤＶＤ用レーザ光の受光レベルに応じた電流値を設定することで、電流値に変換されたＤＶＤレーザ光の出力レベルを、ＣＤ用レーザ光の受光レベルの範囲内に設定することが可能となる。
【００２５】
図５は、受光センサ１０２におけるレーザ光制御のブロック図である。図５（ａ）は従来の場合を示し、図５（ｂ）は本発明の実施の形態の場合を示す。
【００２６】
従来の場合には、ＣＤ用レーザ光源１１とＤＶＤ用レーザ光源１２のそれぞれにレーザドライバ回路１３、１４が接続され、ＣＤ用レーザ光源１１とＤＶＤ用レーザ光源１２から発せられたレーザ光の強度は、受光センサ１０２の光―電流変換素子１６によって受光強度に応じた電流値に変換される。ここで得られた電流値は、電流―電圧変換回路１７によって電圧に変換され、ＣＤ／ＤＶＤ切替スイッチ１８によって、ＣＤ用とＤＶＤ用の各々について増幅度調整器１９によって増幅度が調整される。これにより、ＣＤ用レーザ光及びＤＶＤ用レーザ光の強度がそれぞれ別個独立にレーザパワー制御回路１５によって制御される。
【００２７】
一方、本発明の実施の形態においては、ＣＤ用レーザ光源１１とＤＶＤ用レーザ光源１２のそれぞれにレーザドライバ回路１３、１４が接続され、ＣＤ用レーザ光源１１とＤＶＤ用レーザ光源１２から発せられたレーザ光の強度は、受光センサ１０２の光―電流変換素子１６によって電流値に変換される。ここで得られた電流値は、電流―電圧変換回路１７によって電圧に変換されるが、ＤＶＤ用レーザ光の変換後の出力レベルは、上述した手段によってＣＤ用レーザ光の変換後の出力レベルの範囲内となるように予め設定されているため、従来のもののように、ＣＤ／ＤＶＤ切替スイッチ１８を必要とせずに、スイッチング動作を介することなく、ＣＤ用のみについて増幅度調整器１９によって増幅度が調整される。これにより、本発明の実施の形態においては、ＣＤ用のみについて増幅度を調整するだけで、レーザパワー制御回路１５によって、ＣＤ用レーザ光の強度とＤＶＤ用レーザ光の強度の少なくとも一方を調整することができる。
【００２８】
図６は本発明の一実施の形態における光ピックアップを用いた光ディスク装置を示す図である。図６において、２００は筐体で、筐体２００は上部筐体部２００ａと下部筐体部２００ｂを組み合わせて構成されている。なお、上部筐体部２００ａと下部筐体部２００ｂとは螺旋などを用いて、互いに固着されている。２０１は筐体２００に出没自在に設けられたトレイ、２０２はトレイ２０１に設けられたスピンドルモータ、２０３は光ピックアップで、光ピックアップ２０３は、光ディスクに情報を書き込むか或いは情報を読み出す動作の少なくとも一方を行う。また、光ピックアップ２０３は、光ディスクの半径方向に移動可能に保持されたキャリッジ（図示せず）に搭載されている。２０４はトレイ２０１の前端面に設けられたベゼルで、ベゼル２０４はトレイ２０１が筐体２００内に収納された時に、トレイ２０１の出没口２０５を塞ぐように構成されている。
【００２９】
２０６，２０７はそれぞれトレイ２０１及び筐体２００の双方に摺動自在に取り付けられたレールで、トレイ２０１の両側部にこのレール２０６，２０７は設けられており、このレール２０６，２０７にて矢印Ｐ方向に筐体２００からトレイ２０１が出没自在に取り
付けられている。
【００３０】
トレイ２０１の前端面に設けられたベゼル２０４にはイジェクトスイッチ２０８が設けられており、このイジェクトスイッチ２０８を押すことで、筐体２００に設けられた係合部（図示せず）とトレイ２０１に設けられた係合部（図示せず）との係合を解除する。
【産業上の利用可能性】
【００３１】
本発明は、パーソナルコンピュータ，ノートブック型コンピュータ，モバイル端末機器などの電子機器に搭載される光ディスク装置及びその光ディスク装置に好適に用いられる光ピックアップとして利用することができ、発光強度の調節を容易に行うことができる光ディスク装置を実現することができる。
【図面の簡単な説明】
【００３２】
【図１】本発明の実施の形態に係る光ピックアップの光学系構成を示す図
【図２】本発明の実施の形態に係る光ピックアップの構成部品を示す図
【図３】光学膜の光透過特性の波長依存性を示す図
【図４】受光センサの受光感度の波長依存性の一例を示す図
【図５】受光センサにおけるレーザ光制御のブロック図
【図６】本発明の一実施の形態における光ピックアップを用いた光ディスク装置を示す図
【符号の説明】
【００３３】
１    光源
２    受光素子
３    結合ベース
４    光学部材
５    光学部材
１１    ＣＤ用レーザ光源
１２    ＤＶＤ用レーザ光源
１３、１４    レーザドライバ回路
１５    レーザパワー制御回路
１６    光―電流変換素子
１７    電流―電圧変換回路
１８    ＣＤ／ＤＶＤ切替スイッチ
１９    増幅度調整器
１００    コリメータレンズ
１０１    ビームスプリッタプレート
１０２    受光センサ
１０３    立ち上げプリズム
１０３ａ    面
１０３ｂ    面
１０４    ホログラム
１０５    対物レンズ
１０６    光ディスク
２００    筐体
２００ａ    上部筐体部
２００ｂ    下部筐体部
２０１    トレイ
２０２    スピンドルモータ
２０３    光ピックアップ
２０４    ベゼル
２０５    出没口
２０６、２０７    レール
２０８    イジェクトスイッチ
【図１】
2005293658.tif 000003
【図２】
2005293658.tif 000004
【図３】
2005293658.tif 000005
【図４】
2005293658.tif 000006
【図５】
2005293658.tif 000007
【図６】
2005293658.tif 000008